(57)【要約】  本発明は、物質のケースと物質を外部に分配する開口を有し、少量の物質を分けて分配する装置に関する。物質そのものがケースとしての形態を与えられ、ブロックの形をしており、ユーザーの手で少なくとも部分的に把持できるか、または手中に持てる大きさをしている。該ブロックは、硬い外部表面で形成され、作用具がブロックの開口に導入、操作されてブロック内部または開口周辺から所望量の物質を、剥ぎ取り、穿孔または摩擦作用によって、分離する。【選択図】図１
2007519453.tif 000002
【特許請求の範囲】
【請求項１】
少量の物質を計量供給するための、前記物質のケースと前記物質の供給のため外部に導く開口とを有する装置において、前記物質そのものが前記ケースとして形成されると共にブロック（１０）の形をなし、その大きさは、人の手で少なくとも部分的に把持出来るか、または手中に持つことが出来る程度であり、前記ブロックはその外部が固い表面（１１）で形成され、作用具（２０）が前記ブロックの開口（１３）を通って導入可能かつ挿入されており、該作用具は前記ブロック（１０）の内部および／または前記開口の周辺領域をこすり落とすこと、押すこと、または摩擦かみ合わせ（２４）を通じて所望量の物質を開放し供給することを特徴とする装置。
【請求項２】
前記ブロック（１０）は、数センチの大きさの平行６面体、立方体、球体または卵形であることを特徴とする、請求項１記載の装置。
【請求項３】
前記作用具は、前記開口（１３）に導入可能な、おろし金、やすり、石目やすり、スクレーパー、小槌、または物質を取り除く他の工具の形状をしていることを特徴とする、請求項１または２記載の装置。
【請求項４】
前記作用具（２０）は前記ブロックの外側にハンドル（２３）を有することを特徴とする、請求項１から３のうちの一つに記載の装置。
【請求項５】
前記作用具（２０）は前記ブロックの外側に足部（２３）を有することを特徴とする、請求項１から４のうちの一つに記載の装置。
【請求項６】
前記物質は食卓塩であり、前記ブロック（１０）は固形の食卓塩体から形成されており、それは自然の形状をしているか、または異なった所望の形状（例えば、卵形）に成形されていることを特徴とする、請求項１から５のうちの一つに記載の装置。
【請求項７】
前記作用具（２０）は光源を有することを特徴とする、請求項１から６のうちの一つに記載の装置。
【請求項８】
前記光源は発光ダイオードであることを特徴とする、請求項７記載の装置。
【発明の詳細な説明】
【技術分野】
【０００１】
本発明は、物質のケースと、物質を供給するために外部に導く開口とを有し、少量の物質を計量供給するための装置に関わる。
本発明は、特に、食卓塩を供給する装置を対象としている。それはまた食卓塩ディスペンサーでもある。
【背景技術】
【０００２】
食卓塩ディスペンサーは、一つ以上の開口を有する硬いケースで出来ていて、ケースに入れられた粒状の食卓塩が開口を通って供給される。食卓塩は調製された後、梱包されるかケースに詰められて販売に供され、消費者に届く。消費者は、ケースを塩ディスペンサーとして使用することが出来、空になったときは彼／彼女は塩を別な容器に入れてそのケースを捨てることも出来る。
【発明の開示】
【０００３】
これが発明の開始点であり、上記で示唆されるタイプの装置を新たな形状で、また、異なった用途用にも実現しようとするものである。特には、装置は食卓塩の用途に関連して提供される。
【０００４】
このことは、物質のためのケースと物質を供給するために外部に導く開口とを有し、少量の物質を計量供給するための装置によって達成できる。
本発明においては、供給する物質用として、通常の意味におけるケースは提供されない。物質そのものが、示唆される形態でケースの役割であることを想定し、物質をコンパクトな形にすることが出来るか、または始めからこの形をしていることを想定している。鉱山で採取される食卓塩は始めからこうしたブロックの形のものを含み、本発明の装置の使用に関しては調製のための一連の作業は必要ない。しかし、自然に発見される塩の結晶ブロックの形は、違った形にもすることが出来、取り扱いのし易さおよび美的理由から、本発明のためには球状または卵形が特に重要である。
【０００５】
他の物質を、それらがケースの機能を受け持つように、望ましい硬いブロックの形状にすることは本発明の範囲内である。例えば、砂糖の結晶を球状にして、適切な道具でそのブロックを希望する量の砂糖がこぼれ落ちる様に変化させることが出来る。また、スパイスや根菜類等の混合体を相応の形状にすることも想定される。
【０００６】
本発明に基本的な更なる特徴は、ブロックの内部に導く開口である。本装置の使用の初期には、装置は浅い穴を有し、用意された工具が挿入されるか、または導入されるように形成されている。使用中にこの穴は徐々に大きくなり、最後にはブロックがその初期の形状を失うか、さらには壊れてしまうまでになる。残余の部分、すなわちそのとき残った部分は、それ以上消耗するには適さず、また、食べ物には用いられない。
【０００７】
作用具として任ぜられる本発明の部品は、おろし金、やすり、ミリングカッター、あるいは石目ヤスリのような最も単純な形で作られる。例えば、石目ヤスリがブロックの開口に挿入され、石目ヤスリを適切に動かすことで、ブロック内部の物質がすり減らされ、開口を通して供給される。
【０００８】
作用具としては、そのような物質のすり減らしを実現できる全ての工具が考えられる。この点で、例えば本発明の食卓塩への適用において、塩の結晶が引き剥がされるのみであるか、または押し付け動作で結晶が壊されるのかは重要ではない。重要なのは、単純な動きで、また、本発明に関して電動駆動が用いられることはあるにせよ、さらなる他の手段無しで、手動で物質のすり減らしが出来ることである。
【０００９】
本発明の特殊な適用において、物質が食卓塩体で出来ており、それは自然の形として人がなんの困難も無く手で掴むことができるような硬い表面を持っている。石目ヤスリの形状を持つ作用具が開口に挿入され、物質のすり減らしが例えば回転動作によって実現される。
【００１０】
作用具はまた、光源を持つことが出来、半透明または透明な物質のすり減らされる場所をより良く認識できる。これに関しては、バッテリー電源のＬＥＤが望ましい。
作用具を主としてブロックの周囲の領域から物質をすり落とすことに用いることも本発明の範囲内である。その上、物質ブロックが充分に大きな空洞を持っているときは、そのブロックが充分透明であれば、それをランプの傘として用いることが出来る。
【発明を実施するための最良の形態】
【００１１】
本発明を図を参照して例として以下に述べる。
図１において、卵形のブロックが１０で示され、それは塩の結晶で出来ており、その卵形状は成型によって得たものである。１１は外面を定義しており、本体１０を問題なく触ることが出来る位に硬く強く、触っても塩の結晶がブロック１０から離れることは無い。
【００１２】
ブロック１０の下の領域は平らにデザインされており、１３として示される開口を有する。
図１では、本発明の装置が、ある程度使用された後図示されており、そのことは開口１３が多少大きな空洞１４に変形していることで認識される。空洞内には、２つの石目ヤスリ風の部品が見られる。互いに対向する２つの石目ヤスリを用いる代わりに、状況に従って３つのそれぞれ離れた石目ヤスリや、任意のより多くの数の石目ヤスリを用いることは自明である。
【００１３】
重要なことは、物質がすり減らされて実施例のように下に落ちるように、やすりがブロック内部でブロックの物質に、その摩擦を強化した表面２４で作用することである。装置を１８０度上に回転して使用し、物質のすり減らしの後に図に示すような位置にしてすり減らされた物質が下に落ちるようにすることも考えられる。
【００１４】
図２の実施例において、図１と対応する部分は同じ番号で識別する。
基底部２３から、例えば円形に設計されたヤスリディスクが突き出ており、両サイドには摩擦を強化した面２４を有する。
【００１５】
さらに、ディスクの中心に２本のガイドピン４０が突き出ていて、塩結晶ブロック１０の開口１４に挿入されている。
左側に示すブロック１０が操作位置にあり、人が外側からそれを掴んでピン１４を回すとブロックの底面から物質がすり減らされる。
【００１６】
右側に示すブロック１０は、準備位置のような位置にある。
ヤスリディスク２４は、怪我を避けるために上部にカバーのようなものを供することが出来る。
【００１７】
図中、２つの石目ヤスリが互いに部品２２を介して互いに結合されており、底に基底部２３が形成されていて、基底部２３は同時にハンドルとして用いられる。ハンドル２３を回すことで摩擦強化面２４を持った石目ヤスリがブロック１０に対して回転し、望むような方法で所望の量の物質がすり減らされる。
【００１８】
図に示した石目ヤスリは、物質をすり減らす工具の単に一例のつもりのものであって、例えば、表面にダイヤモンドチップを持ったワイヤを用いることも本発明の範囲内であり得、そのようなワイヤを適切に動かすことで物質のすり減らしを行うことが出来る。
【００１９】
最後に、作用具２０の動きを他のエネルギー源で駆動することも可能であり、すなわち、スプリング駆動、電動、バッテリー駆動などである。
【図面の簡単な説明】
【００２０】
図１は、塩ディスペンサーの実施例における本発明の装置の断面図を示す。
図２は、本発明による塩ディスペンサーの他の実施例を示す。
【図１】
2007519453.tif 000003
【図２】
2007519453.tif 000004
【手続補正書】
【提出日】平成17年7月18日(2005.7.18)
【手続補正１】
【補正対象書類名】特許請求の範囲
【補正対象項目名】全文
【補正方法】変更
【補正の内容】
【特許請求の範囲】
【請求項１】
少量の物質を計量供給するための、前記物質のケースと前記物質の供給のため外部に導く開口とを有する装置において、前記物質そのものが前記ケースとして形成されると共にブロック（１０）の形をなし、その大きさは、人の手で少なくとも部分的に把持出来るか、または手中に持つことが出来る程度であり、前記ブロックはその外部が固い表面（１１）で形成され、作用具（２０）が前記ブロックの開口（１３）を通って導入可能かつ挿入されており、該作用具は前記ブロック（１０）の内部および／または前記開口の周辺領域をこすり落とすこと、押すこと、または摩擦かみ合わせ（２４）を通じて所望量の物質を開放し供給し、また、前記物質は食卓塩であり、前記ブロック（１０）は固形の食卓塩体から形成されており、それは自然の形状をしているか、または異なった所望の形状（例えば、卵型）に成形されていることを特徴とする装置。
【請求項２】
前記作用具（２０）は光源を有することを特徴とする、請求項１記載の装置。
【請求項３】
前記光源は発光ダイオードであることを特徴とする、請求項１または２記載の装置。
【国際調査報告】
2007519453.tif 000005
2007519453.tif 000006
2007519453.tif 000007
2007519453.tif 000008